(57)【特許請求の範囲】
【請求項１】
容器本体の外側面にスライド取付け部と回転取付け部を設け、上記のスライド取付け部に可撓性を有するハンドルの一端部を回転自在かつスライド自在に取付け、上記の回転取付け部に上記ハンドルの他端部を回転自在に取付け、上記スライド取付け部に上記ハンドルをそのスライドストロークの終端でわん曲状態に保持する係止部を設けてなる液体容器のハンドル取付け構造において、上記の回転取付け部に上記ハンドルの一端部の回転規制部を設け、該回転規制部により上記ハンドルの上記回転取付け部側の立上がり角がスライド取付け部側の立上がり角より小さくなるよう規制したことを特徴とする液体容器のハンドル取付け構造。
【請求項２】
上記の回転取付け部に取付けられた上記ハンドルの回転側端部が一定角度回転した際に、上記回転規制部が上記ハンドルの回転側端部に干渉してその回転を制限するようにしたことを特徴とする請求項１に記載の液体容器のハンドル取付け構造。
【請求項３】
上記のスライド取付け部を上記の容器本体の上部に設け、上記の回転取付け部を上記の容器本体の下部に設けたことを特徴とする請求項１又は２に記載の液体容器のハンドル取付け構造。
【請求項４】
上記のスライド取付け部を上記の容器本体の下部に設け、上記の回転取付け部を上記の容器本体の上部に設けたことを特徴とする請求項１又は２に記載の液体容器のハンドル取付け構造。
【請求項５】
上記のスライド取付け部と、そのスライド取付け部に取付けられた上記のハンドルのスライド側端部とに、該スライド側端部が一定角度以上回転した際に相互に摺接する摺接部を設け、該摺接部の少なくとも一方に可撓性を付与したことを特徴とする請求項１から４のいずれかに記載の液体容器のハンドル取付け構造。
【発明の詳細な説明】
【０００１】
【発明の属する技術分野】
この発明は、ポットなどの液体容器のハンドル取付け構造に関するものである。
【０００２】
【従来の技術】
ポットなどの液体容器を携帯したり、内部の液体を注いだりする場合の便宜のために、容器本体の外側面に可撓性を有するハンドルを取付けることが従来から行われている。このハンドルの従来の取付け構造は、容器本体の外側面に、ハンドルの一端部を回転自在かつスライド自在に支持するスライド取付け部と、その他端部を回転自在に支持する回転取付け部とを設け、上記スライド取付け部に上記ハンドルをスライドストロークの終端でわん曲状態に保持する係止部を設けた構造である（例えば、特開平７−２０４１０７号公報参照）。
【０００３】
上記のハンドルは、不使用状態では容器本体に平行に沿わせておき、使用時には外方へひき出し、わん曲状態に変形させ、そのスライド取付け部側の端部を容器本体の係止部に係止させ、わん曲状態を保持させるようにしている。上記の係止を外すとハンドルは元の平行状態に戻る。
【０００４】
上記のハンドル取付け構造によると、図１０に示すように、ハンドル１がわん曲状態に保持された形態において、ハンドル１の両端部の立上がり角θ１  、θ２  は両方とも等しく、従って容器本体２からハンドル１までの最大距離Ａは、ハンドル１のほぼ中央部に位置する。
【０００５】
【発明が解決しようとする課題】
使用者がハンドルを把持する場合、その中央部を中心に把持するのが普通であると一般に考えられているが、容器本体を傾けて内部の液を注ぎ出す際には重心が移動すること、或いは携帯時においては容器本体を若干傾けて把持するほうが重心が安定して持ち易いこと、更に使用者のハンドルの把持の仕方にはさまざまな態様があること等により、ハンドルの中央部よりも上寄りの部分或いは下寄りの部分を把持する方が都合がよいことが多い。
【０００６】
そこで、この発明は前記の最大距離Ａの部分をハンドルの上寄り部分或いは下寄り部分に片寄らせたハンドル取付け構造を提供することを課題とする。
【０００７】
【課題を解決するための手段】
上記の課題を解決するために、容器本体の外側面にスライド取付け部と回転取付け部を設け、上記のスライド取付け部に可撓性を有するハンドルの一端部を回転自在かつスライド自在に取付け、上記の回転取付け部に上記ハンドルの他端部を回転自在に取付け、上記スライド取付け部に上記ハンドルをそのスライドストロークの終端でわん曲状態に保持する係止部を設けてなる液体容器のハンドル取付け構造において、上記の回転取付け部に上記ハンドルの一端部の回転規制部を設け、該回転規制部により上記ハンドルの上記回転取付け部側の立上がり角がスライド取付け部側の立上がり角より小さくなるよう規制した構成としたものである。
【０００８】
上記の回転取付け部に取付けられた上記ハンドルの回転側端部が一定角度回転した際に、上記回転規制部が上記ハンドルの回転側端部に干渉してその回転を制限するようにした構成や、上記のスライド取付け部を上記の容器本体の上部に設け、上記の回転取付け部を上記の容器本体の下部に設けた構成、上記のスライド取付け部を上記の容器本体の下部に設け、上記の回転取付け部を上記の容器本体の上部に設けた構成をとることができる。
【０００９】
更に、上記のスライド取付け部と、そのスライド取付け部に取付けられた上記のハンドルのスライド側端部とに、該スライド側端部が一定角度以上回転した際に相互に摺接する摺接部を設け、該摺接部の少なくとも一方に可撓性を付与した構成をとることができる。
【００１０】
【発明の実施の形態】
以下この発明の実施形態を添付図面に基づいて説明する。図１に示すように、実施形態の液体容器は、携帯型の保温ポットであり、容器本体１１と、その上端部の注出口側に嵌着されたコップ形の蓋１２、及び容器本体１１の外側面に上下方向に取付けられたハンドル１３とにより構成される。容器本体１１の肩部材１５にスライド取付け部１７が設けられ、また底部材１６に回転取付け部１７’が設けられる。ハンドル１３の上端部がヒンジピン１４により上記のスライド取付け部１７に取付けられ、また下端部がヒンジピン１４’により回転取付け部１７’に取付けられる。
【００１１】
上記のハンドル１３は、図２に示すように、可撓性を有するハンドルグリップ１８、その内部に一体に設けられ両端部が上下両端面から突き出した板ばね１９、前記のスライド取付け部１７の凹所に嵌入されるスライド側ヒンジ部材２１とその受け部材２２、更に前記の回転取付け部１７’に嵌入される回転側ヒンジ部材２１’とその受け部材２２’とにより構成される。板ばね１９の上下の露出端部に取付け孔２３、２３’が設けられる。
【００１２】
図３（ａ）に示すように、上記のスライド側ヒンジ部材２１を上記板ばね１９の上端露出部分の表面側に、また受け部材２２をその裏面側に当て、裏面側から挿通したビス２４により、これらの部材を結合一体化する。また、図４（ａ）に示すように、上記の回転側ヒンジ部材２１’を上記板ばね１９の下端露出部分の表面側に、また受け部材２２’を裏面側に当て、裏面側から挿入したビス２４’により、これらの部材を結合一体化する。
【００１３】
上記のスライド側ヒンジ部材２１の両側部にはハンドル１３の長さ方向の長孔２５（図２参照）が設けられ、その長孔２５に前記のスライド取付け部１７のピン孔２６から前記のヒンジピン１４が挿入される。このヒンジピン１４により、ハンドル１３の上端部（即ち、スライド側端部）はスライド取付け部１７に対し、回転自在かつスライド自在に取付けられる。一方、回転側ヒンジ部材２１’には丸孔２５’が設けられ、その丸孔２５’に回転取付け部１７’のピン孔２６’から前記のヒンジピン１４’が挿通される。このヒンジピン１４’により、ハンドル１３の下端部（即ち、回転側端部）は回転取付け部１７’に対し、回転自在に取付けられる。
【００１４】
上記のスライド取付け部１７の内底面には図５（ａ）（ｂ）に示すように、容器本体１１の外側面に沿う摺接係止板２７が設けられる。この摺接係止板２７は、スライド取付け部１７の内底面にその上端から前記のピン孔２６に達する範囲に上向きコの字形の溝２８を設けることにより形成され、上端部を支点として板厚方向に若干の弾性変形による可撓性が付与されている。また、その摺接係止板２７の下端部に近い部分に一段下がった係止段部２９が設けられる。
【００１５】
前記のスライド側ヒンジ部材２１とその受け部材２２により構成されたハンドル１３のスライド側端部は、ハンドル１３が容器本体１１に平行に沿った収納状態においては、図３（ａ）に示すように、ヒンジピン１４が長孔２５の下端部にあり、また該ヒンジ部材２１の上端部の摺接部３０が上記の摺接係止板２７と若干の隙間をおいて対向する。
【００１６】
一方、上記の回転取付け部１７’の底面には、上下方向の突条でなる規制部３２が設けられる（図１、図４参照）。前記の回転側ヒンジ部材２１’とその受け部材２２’により構成されたハンドル１３の回転側端部は、ハンドル１３が容器本体１１に平行に沿った収納状態においては、図４（ａ）に示すように、該ヒンジ部材２１’の下端部３１が上記の規制部３２と若干の隙間をおいて対向する。
【００１７】
ハンドル１３にこれを外方に引っ張る方向の力が加えられると、ハンドル１３の上端部のスライド側端部は下方にスライドすると同時に回転するので、図３（ｂ）に示すように、該ヒンジ部材２１の摺接部３０が摺接係止板２７を押し込みながらスライドする。さらに進み、スライドストロークの終端に達すると（即ち、ヒンジピン１４が長孔２５の上端に達すると）、該ヒンジ部材２１の摺接部３０が係止段部２９に落ち込み、ハンドル１３を把持する使用者の手にリック感を与えて係止される。このときのハンドル１３の上端部の立上がり角度を図６においてθ１  で示す。
【００１８】
一方、ハンドル１３下端部はヒンジピン１４’を中心に回転するが、ハンドル１３の下端部の立上がり角が上記の角度θ１  より小さい角度θ２  において回転側ヒンジ部材２１’の下端部３１が規制部３２に干渉してそれ以上の回転が制限される。
【００１９】
ハンドル１３の下端部の回転を規制するその他の構造として、回転側ヒンジ部材２１’の規制係止部３３を回転取付け部１７’の一部と干渉させる構造を採用してもよい（図４（ｂ）参照）。
【００２０】
上記のように、ハンドル１３の上端部の立上がり角度θ１  と、下端部の立上がり角度θ２  について、規制部３２の無い側（ハンドル１３の上端部、即ちスライド取付け部１７側）の立上がり角度θ１  を、規制部３２の有る側（ハンドル１３の下端部、即ち回転取付け部１７’側）の立上がり角度θ２  より大きく設定する、言い換えれば、回転取付け部側１７’の立上がり角度θ２  をスライド取付け部１７側の立上がり角度θ１  より小さく設定することにより、図６に示すように、ハンドル１３の容器本体１１からの最大距離Ａの位置が、該ハンドル１３の中心から上端部側へ一定距離Ｂだけ片寄ることになる。
【００２１】
上記のようにハンドル１３をわん曲状態に保持させた使用状態から、もとの収納状態に戻す場合は、そのわん曲部を内方に押し込む。そうすると、摺接部３０が係止段部２９から外れるため、ハンドル１３は板ばね１９の復元弾性により元の平行状態に戻る。このとき、摺接部３０は係止段部２９から外れたのち摺接係止板２７の復元弾性力を受けながら摺接するので所要の摩擦力が作用する。これにより、ハンドル１３がもとの状態に戻る際に緩衝作用を受け、衝撃音の発生を抑制する。
【００２２】
上記の緩衝作用は、上記以外の構造によっても発揮させることができる。例えば、図７（ａ）（ｂ）に示した例は、スライド側ヒンジ部材２１に、その上端部から平行２本の切込み３４を入れ、可撓性を有する摺接部３０を形成し、その摺接部３０の上端部を摺接係止板２７に対向せしめ、その係止段部２９に摺接部３０を係止するようにしたものである。この場合、摺接係止板２７は可撓性があっても無くてもよい。図８（ａ）（ｂ）に示した例は、スライド側ヒンジ部材２１に対向した受け部材２２の上端に可撓性を有する板状の摺接部３０を設け、その摺接部３０の上端部を摺接係止板２７に対向せしめ、その係止段部２９に摺接部３０を係止するようにしたものである。この場合も、摺接係止板２７は可撓性があっても無くてもよい。
【００２３】
また、上記のハンドル１３及びその取付け構造を上述のものと上下反対の構造、即ち、図９に示すように、回転取付け部１７’を肩部材１５に設け、スライド取付け部１７を底部材１６に設け、これらにそれぞれハンドル１３の回転側ヒンジ部材２１’と、スライド側ヒンジ部材２１を取付けた構造をとることにより、同図において２点鎖線で示すように、最大距離Ａの位置は、ハンドル１３の中心から下端部側へ一定距離Ｂだけ片寄ることになる。
【００２４】
【発明の効果】
この発明は、容器本体の側面の取付けたハンドルを引き上げてわん曲状態に立ち上がらせた際、そのハンドルの容器本体から最大距離の部分の位置が、該ハンドル中央部より上端側又は下端側に片寄った位置となるので、重心の位置を考慮した把持の仕方等、多様な把持の仕方に対応することができ使用性を向上させることができる。
【図面の簡単な説明】
【図１】実施形態の断面図
【図２】同上の一部分解斜視図
【図３】（ａ）〜（ｃ）同上のスライド側端部の作用を示す断面図
【図４】（ａ）（ｂ）同上の回転側端部の作用を示す断面図
【図５】（ａ）スライド側取付け部の断面図
（ｂ）（ａ）図のｂ−ｂ線の断面図
【図６】同上のハンドルわん曲状態の断面図
【図７】（ａ）スライド側端部の他の例の分解斜視図
（ｂ）（ａ）図の部分の断面図
【図８】（ａ）スライド側端部のその他の例の分解斜視図
（ｂ）（ａ）図の部分の断面図
【図９】他の実施形態の断面図
【図１０】従来例の側面図
【符号の説明】
１１  容器本体
１２  蓋
１３  ハンドル
１４、１４’ヒンジピン
１５  肩部材
１６  底部材
１７  スライド取付け部
１７’  回転取付け部
１８  ハンドルグリップ
１９  板ばね
２１  スライド側ヒンジ部材
２１’  回転側ヒンジ部材
２２、２２’  受け部材
２３、２３’  取付け孔
２４、２４’  ビス
２５  長孔
２５’  丸孔
２６、２６’  ピン孔
２７  摺接係止板
２８  溝
２９  係止段部
３０  摺接部
３１  下端部
３２  規制部
３３  規制係止部
３４  切込み
【図１】
0003592584.tif 000002
【図２】
0003592584.tif 000003
【図３】
0003592584.tif 000004
【図４】
0003592584.tif 000005
【図５】
0003592584.tif 000006
【図６】
0003592584.tif 000007
【図７】
0003592584.tif 000008
【図８】
0003592584.tif 000009
【図９】
0003592584.tif 000010
【図１０】
0003592584.tif 000011